(57)【要約】【課題】空気調和された空気を広範囲に行き渡らせつつ特定の方向に集中して送風できる空気調和機を提供する。【解決手段】空気調和機本体の吹出口に吹出空気の風向を左右に変更する複数のブロックに分割された縦羽根２３を備え、リモートコントローラの指示により縦羽根を揺動させて風向を左右方向に変更可能とした空気調和装置は、複数のブロックに分割された縦羽根をスイングし風向を左右方向に略等しい時間間隔で往復変化させるスイングモードと、いずれかのブロックの縦羽根を右側の方向位置で停止させ、他のブロックの縦羽根を遥動させる右側優先スイングモードと、いずれかのブロックの縦羽根を左側の方向位置で停止させ、他のブロックの縦羽根を遥動させる左側優先スイングモードとを備えている。【選択図】図２
2009222324.tif 000002
【特許請求の範囲】
【請求項１】
空気調和機本体に熱交換器及び送風機を備え、前記空気調和機本体の吹出口に吹出空気の風向を左右に変更する複数のブロックに分割された縦羽根を備え、リモートコントローラの指示により該縦羽根の駆動部を駆動させ、揺動させて風向を左右方向に変更可能とした空気調和機において、
前記ブロック毎に該縦羽根の駆動部を供え、複数のブロックに分割された縦羽根をスイングし風向を左右方向に略等しい時間間隔で往復変化させるスイングモードと、このスイングモード時に、複数のブロックに分割された縦羽根のうち、少なくとも１つのブロックの縦羽根を右側の方向位置に停止させると共に、他のブロックの縦羽根をスイングさせる右側優先スイングモードと、複数のブロックに分割された縦羽根のうち、少なくとも１つのブロックの縦羽根を左側の方向位置に停止させると共に、他のブロックの縦羽根をスイングさせる左側優先スイングモードと、を備えたこと、
を特徴とする空気調和機。
【請求項２】
前記リモートコントローラは、前記右側優先スイングモードおよび前記左側優先スイングモードに各々割り当てられた複数の操作子を備えること、
を特徴とする請求項１に記載の空気調和機。
【請求項３】
前記スイングモード、前記右側優先スイングモード、および前記左側優先スイングモードにおいては、被調和室における前記空気調和機本体の設置状態に応じて予め設定された送風範囲内で左右に風向を変更可能であること、
を特徴とする請求項１または２に記載の空気調和機。
【請求項４】
前記右側優先スイングモード時には、複数のブロックに分割された縦羽根のうち、少なくとも右端に設けられたブロックの縦羽根を右側の方向位置に停止させ、前記左側優先スイングモード時には、複数のブロックに分割された縦羽根のうち、少なくとも左端に設けられたブロックの縦羽根を左側の方向位置に停止させること、
を特徴とする請求項１乃至３のいずれかに記載の空気調和機。
【請求項５】
空気調和機本体に熱交換器及び送風機を備え、前記空気調和機本体の吹出口に吹出空気の風向を左右に変更する複数のブロックに分割された縦羽根を備え、リモートコントローラの指示により前記縦羽根を揺動させて風向を左右方向に変更可能とした空気調和機の制御方法であって、
前記ブロック毎に該縦羽根の駆動部を備え、複数のブロックに分割された縦羽根をスイングし風向を左右方向に略等しい時間間隔で往復変化させるスイングモードと、このスイングモード時に、複数のブロックに分割された縦羽根のうち、少なくとも１つのブロックの縦羽根を右側の方向位置に停止させると共に、他のブロックの縦羽根をスイングさせる右側優先スイングモードと、複数のブロックに分割された縦羽根のうち、少なくとも１つのブロックの縦羽根を左側の位置方向に停止させると共に、他のブロックの縦羽根をスイングさせる左側優先スイングモードと、を前記リモートコントローラの指示に従って実行すること、
を特徴とする空気調和機の制御方法。
【発明の詳細な説明】
【技術分野】
【０００１】
本発明は、空気調和気、および、空気調和機の制御方法に関するものである。
【背景技術】
【０００２】
従来、空気調和機の一機能として、空気の吹出方向を左右に変更する機能が知られている（例えば、特許文献１参照）。また、空気調和機において、空気の吹出方向を左右に往復変化させるスイング動作も知られている。
【特許文献１】特開平０９−１４５１２７号公報
【発明の開示】
【発明が解決しようとする課題】
【０００３】
従来の空気調和機は、上述したスイング動作によって空気調和された空気を広範囲に送風するか、空気の吹出方向を特定の方向に向けるか、いずれかの動作しかできなかった。
【０００４】
そこで本発明は、空気調和された空気を広範囲に行き渡らせつつ特定の方向に集中して送風できる空気調和機、および空気調和機の制御方法を提供することを目的とする。
【課題を解決するための手段】
【０００５】
上記課題を解決するため、本発明は、空気調和機本体に熱交換器及び送風機を備え、前記空気調和機本体の吹出口に吹出空気の風向を左右に変更する複数のブロックに分割された縦羽根を備え、リモートコントローラの指示により該縦羽根の駆動部を駆動させ、揺動させて風向を左右方向に変更可能とした空気調和機において、前記ブロック毎に該縦羽根の駆動部を供え、複数のブロックに分割された縦羽根をスイングし風向を左右方向に略等しい時間間隔で往復変化させるスイングモードと、このスイングモード時に、複数のブロックに分割された縦羽根のうち、少なくとも１つのブロックの縦羽根を右側の方向位置に停止させると共に、他のブロックの縦羽根をスイングさせる右側優先スイングモードと、複数のブロックに分割された縦羽根のうち、少なくとも１つのブロックの縦羽根を左側の方向位置に停止させると共に、他のブロックの縦羽根をスイングさせる左側優先スイングモードと、を備えたことを特徴とする。
【０００６】
この構成によれば、複数のブロックに分割された縦羽根をスイングし風向を左右方向に略等しい時間間隔で往復変化させるスイングモードと、複数のブロックに分割された縦羽根のうち、一部の縦羽根を右側の方向位置で停止させると共に、他のブロックの縦羽根をスイングさせる右側優先スイングモードと、複数のブロックに分割された縦羽根のうち、一部の縦羽根を左側の方向位置で停止させると共に、他のブロックの縦羽根をスイングさせる左側優先スイングモードと、を実行可能であるため、スイングモードを選択して広範囲に満遍なく送風させることができ、かつ、右側優先スイングモードまたは左側優先スイングモードを選択して、空気調和された空気を広範囲に行き渡らせつつ特定の方向に集中して送風させることができる。右側優先スイングモードでは空気調和された空気を広範囲に行き渡らせつつ右端方向に送風する割合を多くして、右側に集中して送風できる。また、左側優先スイングモードでは空気調和された空気を広範囲に行き渡らせつつ、左端方向に送風する割合を多くして、左側に集中して送風できる。
【０００７】
これにより、被調和室内において大きな温度差を生じることのないように、特定方向に集中して空気調和でき、被調和室内の人の配置等に合わせて快適な環境を実現できる。
【０００８】
上記構成において、前記リモートコントローラは、前記右側優先スイングモードおよび前記左側優先スイングモードに各々割り当てられた複数の操作子を備えるものとしてもよい。
【０００９】
この場合、右側優先スイングモードおよび左側優先スイングモードに各々割り当てられた操作子を操作することで、右側優先スイングモードと左側優先スイングモードの実行を簡単かつ速やかに指示できる。
【００１０】
また、上記構成において、前記スイングモード、前記右側優先スイングモード、および前記左側優先スイングモードにおいては、被調和室における前記空気調和機本体の設置状態に応じて予め設定された送風範囲内で左右に風向を変更可能であるものとしてもよい。
【００１１】
この場合、スイングモード、右側優先スイングモード、および左側優先スイングモードにおいて、予め設定された送風範囲内で風向を変更することで、空気調和機の設置状態に合わせた送風動作を行えるという利点がある。
【００１２】
また、上記構成において、右側優先スイングモード時には、複数のブロックに分割された縦羽根のうち、少なくとも右端に設けられたブロックの縦羽根を右側の方向位置に停止させ、左側優先スイングモード時には、複数のブロックに分割された縦羽根のうち、少なくとも左端に設けられた縦羽根を左側の方向位置に停止させるものとしてもよい。
【００１３】
この場合、右側優先スイングモードでは、右端に設けられた縦羽根により被調和室内の右側方向に集中して空気調和できると共に、他のブロックの縦羽根により被調和室内の右側以外の方向の空気調和ができるため、被調和室内において大きな温度差を生じさせずに、特定方向に集中した空気調和を行うことができる。同様に、左側優先スイングモードでは、左端に設けられた縦羽根により被調和室内の左側方向に集中して空気調和できると共に、他のブロックの縦羽根により被調和室内の左側以外の方向の空気調和ができるため、被調和室内において大きな温度差を生じさせずに、特定方向に集中した空気調和を行うことができる。
【００１４】
空気調和機本体に熱交換器及び送風機を備え、前記空気調和機本体の吹出口に吹出空気の風向を左右に変更する複数の縦羽根を備え、リモートコントローラの指示により前記縦羽根を揺動させて風向を左右方向に変更可能とした空気調和機の制御方法であって、複数の縦羽根をスイングし風向を左右方向に略等しい時間間隔で往復動作させるスイングモードと、複数の縦羽根をスイングし右端で複数の縦羽根が停止する時間間隔をその他の時間間隔よりも長くした右側優先スイングモードと、複数の縦羽根をスイングし左端で複数の縦羽根が停止する時間間隔をその他の時間間隔よりも長くした左側優先スイングモードと、を前記リモートコントローラの指示に従って実行すること、を特徴とする。
【００１５】
この方法によれば、リモートコントローラの指示に従って、複数の縦羽根をスイングし風向を左右方向に略等しい時間間隔で往復変化させるスイングモードと、複数の縦羽根をスイングし右端で複数の縦羽根が停止する時間間隔をその他の時間間隔よりも長くした右側優先スイングモードと、複数の縦羽根をスイングし左端で複数の縦羽根が停止する時間間隔をその他の時間間隔よりも長くした左側優先スイングモードと、を実行可能であるため、スイングモードを選択して広範囲に満遍なく送風させることができ、かつ、右側優先スイングモードまたは左側優先スイングモードを選択して、空気調和された空気を広範囲に行き渡らせつつ特定の方向に集中して送風させることができる。右側優先スイングモードでは空気調和された空気を広範囲に行き渡らせつつ右端方向に送風する割合を多くして、右側に集中して送風できる。また、左側優先スイングモードでは空気調和された空気を広範囲に行き渡らせつつ、左側方向の送風する割合を多くして、左側に集中して送風できる。これにより、被調和室内において大きな温度差を生じることのないように、特定方向に集中して空気調和でき、被調和室内の人の配置等に合わせて快適な環境を実現できる。
【発明の効果】
【００１６】
本発明によれば、空気調和機によって空気調和された空気を広範囲に行き渡らせつつ、特定の方向に集中して送風することが可能となる。
【発明を実施するための最良の形態】
【００１７】
以下、図面を参照しながら、本発明の一実施の形態について説明する。
【００１８】
図１は、壁掛け型の空気調和装置の斜視図、図２はその断面図である。空気調和装置１は樹脂成形した空気調和機本体３と、空気調和機本体３の前面側に配置された樹脂成形の前面パネル５とを備え、空気調和機本体３は、図２に示すように、その内側に断面略Ｃ字状の熱交換器７と、この熱交換器７の内側に配置した送風機９とを備えている。空気調和機本体３は、前面１１及び天面１３（図３参照）に吸込口１５，１７を備えており、上記送風機９の駆動により、前面１１及び天面１３の吸込口１５，１７から吸い込んだ室内空気を、熱交換器７に通流し、ここで熱交換した空気は、空気調和機本体３の送風機９の下流に設けた吹出口１９から室内に吹き出される。
【００１９】
上記吹出口１９は、スクロール部２１と舌部２２とで囲まれており、スクロール部２１の出口側には風向変更用の複数の縦羽根２３が配置され、各縦羽根２３同士はスクロール部２１の奥側でリンク部材２４により連結され、縦羽根駆動モータ１１５（図９）に連結されている。
【００２０】
この縦羽根２３について、図４を参照して説明する。縦羽根２３は、上述のようにスクロール部２１上へ、吹出口１９に対して平行に、一直線上に複数枚並べて設けられており、スクロール部２１の奥側となる位置でリンク部材２４により接続され、連動可能に設けられている。そして、この縦羽根２３は、複数のブロックに分割されて設けられており（本実施の形態では、２分割されているものとして説明する。）、中央から左側に位置する縦羽根２３は、リンク部材２４ａにより接続されて左側ブロック２６ａが構成され、この左側ブロック２６ａに位置する複数の縦羽根２３が連動可能に設けられている。また、中興から右側に位置する縦羽根２３は、リンク部材２４ｂにより接続されて右側ブロック２６ｂが構成され、この右側ブロック２６ｂに位置する複数の縦羽根２３が連動可能に設けられている。そして、左端の縦羽根２３には縦羽根駆動モータ２７ａ（駆動部）が設けられており、前記左側ブロック２６ａの縦羽根２３を駆動し、右端の縦羽根２３には縦羽根駆動モータ２７ｂ（駆動部）が設けられており、前記右側ブロック２６ｂの縦羽根２３を駆動するものとなっている。
【００２１】
また、前記縦羽根２３は、このように複数のブロック２６ａ、２６ｂに分割され、夫々のブロック毎に縦羽根駆動モータ２７ａ、２７ｂを備えて設けられているため、夫々、ブロック毎に独立した遥動が可能となっている。
【００２２】
なお、本実施の形態では、縦羽根２３を２つのブロックに分割されているものとして説明するが、これに限定されず、３つのブロックや４つのブロックに分割されるものとしても良い。
【００２３】
また、２５は水平フラップであり、フラップ駆動モータ１１６（図９）に連結されている。該フラップ２５の回動姿勢によって吹出口１９を開閉し、かつ運転条件に応じて、当該吹出口１９から吹き出される空気の吹出方向を上下方向に設定可能であり、複数の縦羽根２３は、運転条件に応じて、当該吹出口１９から吹き出される空気の吹出方向を左右方向に設定可能である。
【００２４】
本実施の形態では、空気調和機本体３の前面１１の吸込口１５と、上述した前面パネル５との間に、フィルタ昇降装置３１が配置されている。フィルタ昇降装置３１は、フィルタ３３を昇降するものであり、該フィルタ３３は、前面１１の吸込口１５と天面１３の吸込口１７とを同時に覆い、吸込口１５，１７から吸い込まれる室内空気中の塵埃を捕集する。図３は、前面パネル５を取り外し、フィルタ昇降装置３１を下降動作し、フィルタ３３を降下した状態を示し、図５は、フィルタ昇降装置３１そのものを示す。フィルタ昇降装置３１は、図５に示すように、１〜４段に区別された樹脂成形の昇降枠３５〜３８を備え、昇降枠３５〜３８がすべて引き出されると、図３の状態となって、フィルタ３３が降下し、昇降枠３５〜３８がすべて引き込まれると、図２の状態となって、フィルタ３３が吸込口１５，１７を覆うように格納される。
【００２５】
１段目の昇降枠３５は、図５に示すように、枠体３５Ａの内側を、左右及び上下に延出する補強用桁部３５Ｂで連結し、枠体３５Ａの両側には、断面略コ字状の一対のガイド３５Ｃを備えている。２段目の昇降枠３６は、同様に、枠体３６Ａの内側を、左右及び上下に延出する補強用桁部３６Ｂで連結し、枠体３６Ａの両側には、断面略コ字状の一対のガイド３６Ｃを備え、このガイド３６Ｃは、１段目の昇降枠３５のガイド３５Ｃ溝内に収納自在である。３段目の昇降枠３７は、枠体３７Ａの内側を、左右及び上下に延出する補強用桁部３７Ｂで連結し、枠体３７Ａの両側には、断面略コ字状の一対のガイド３７Ｃを備え、このガイド３７Ｃは、２段目の昇降枠３６のガイド３６Ｃ溝内に収納自在である。また、最終段の４段目の昇降枠３８は、枠体３８Ａの内側を、左右及び上下に延出する補強用桁部３８Ｂで連結し、枠体３８Ａの両側の端縁部３８Ｃは、３段目の昇降枠３７のガイド３７Ｃ溝内に収納自在である。
【００２６】
各昇降枠３５〜３８の中央には、縦に延びるガイド３５Ｄ〜３８Ｄが設けられ、ガイド３５Ｄ〜３８Ｄは、昇降枠３５〜３８の昇降時に、ガイド３５Ｄがガイド３６Ｄに収納され、ガイド３６Ｄがガイド３７Ｄに収納され、さらにガイド３７Ｄがガイド３８Ｄに収納されて、入れ子式に収納自在である。
【００２７】
４段目の昇降枠３８の下端には、破線で示すように、左右２分割の状態でフィルタ３３が取り付けられる。フィルタ３３は、その中段部を、４段目の昇降枠３８の上端部に設けた押さえ片３８Ｅの下側に挿入し、下端部を、４段目の昇降枠３８の下端部に設けた連結片３８Ｆに連結して支持されている。
【００２８】
フィルタ昇降装置３１を構成する昇降枠３５〜３８は、１段目の枠体３５Ａの両上端３５Ｆを、図３に示すように、空気調和機本体３の前面１１の両側上端に、ビス（図示略）等の留め具を介して取り付けられている。
【００２９】
また、図５に示すように、１段目の枠体３５Ａの右側ガイド３５Ｃには、昇降枠３５〜３８を昇降する正逆回転可能な直流ステッピングモータにより構成されたフィルタ昇降モータ３９が取り付けられている。このフィルタ昇降モータ３９の出力軸にはベルト４１が連結され、このベルト４１は、各昇降枠３５〜３８に連結され、フィルタ昇降モータ３９が正回転駆動されると、図３に示すように、昇降枠３５〜３８がすべて引き出されて、フィルタ３３が降下し、フィルタ昇降モータ３９が逆回転駆動されると、図２に示すように、昇降枠３５〜３８がすべて引き込まれて、フィルタ３３が格納される。
【００３０】
昇降枠３５〜３８がすべて引き出された状態では、図３に示すように、１段目の枠体３５Ａの上縁が、所定位置まで低く下がって維持されており、枠体３５Ａの上縁の上方に形成される空間を通じて、電気式除塵フィルタ４０が装着される。この電気式除塵フィルタ４０は、図２に示すように、熱交換器７とフィルタ３３との間に装着され、フィルタ３３を通過した室内空気中の塵埃を捕集が可能である。
【００３１】
フィルタ３３は、上述したように４段目の昇降枠３８の下端に固定されるため、昇降枠３５〜３８が上昇し、フィルタ３３が空気調和機本体３の前面１１から天面１３に進入する過程では、フィルタ３３の上部が湾曲して前面１１から天面１３に進入する。
【００３２】
この空気調和機本体３の天面１３は、図２に示すように、空気調和機本体３の上部３Ａと、この上部３Ａの上に間隔δをあけて着脱自在に取り付けられる天面パネル４３とで構成され、上述したフィルタ３３の上部は湾曲して該隙間δ内に進入し、昇降枠３５〜３８がすべて引き込まれた状態（図２）では、フィルタ３３が、前面１１及び天面１３の各吸込口１５，１７を同時に覆う。
【００３３】
本実施の形態では、図３に示すように、天面パネル４３の前縁部に対し、各フィルタ３３に対応して、フィルタ３３の上部の方向転換部、すなわちフィルタ３３が前面１１から天面１３に方向転換する部位に突出して、フィルタ３３の上部を前面１１から天面１３に滑らかに案内可能に、フィルタ案内部４３Ａが一体に設けられている。また図２に示すように、方向転換した後のフィルタ３３の先端部を、天面パネル４３の下面に対し滑らかに案内自在に、天面パネル４３の前後方向に延びる桁部４３Ｂの下面に、湾曲リブ４５が一体に設けられている。この構成では、フィルタ案内部４３Ａ、及び湾曲リブ４５の協働によって、フィルタ３３の上部が、空気調和機本体３の前面１１から天面１３に対し、滑らかに案内されて進入が可能となる。
【００３４】
上記前面パネル５は、図２に示すように、空気調和装置１の不作動状態において、フィルタ昇降装置３１を完全に覆うように、空気調和機本体３の前面１１に隙間無く閉じている。そして、空気調和装置１を作動する段階、或いはフィルタ昇降装置３１を作動し、昇降枠３５〜３８を降下する段階には、図６及び図７に示すように、リンク機構４６を介して、前面パネル５が前方に押し出され、空気吸い込みのための隙間確保、或いは昇降枠３５〜３８の降下のための隙間が確保される。
【００３５】
この空気調和装置１は、ユーザが操作するリモコン５０からの指示に従って運転される。
【００３６】
図８は、リモコン５０の概略構成を示す外観図である。
【００３７】
この図８に示すように、リモコン５０は、筐体５１にＬＣＤパネル５２とスイッチパネル５３とを配置して構成される。
【００３８】
ＬＣＤパネル５２は、空気調和装置１の現在の運転状態や、スイッチパネル５３の操作により設定された運転条件等を表示する。
【００３９】
スイッチパネル５３は、運転開始を指示する運転ボタン５７、運転停止を指示する停止ボタン５４、設定温度の変更を指示する温度設定ボタン５８、風量の変更を指示する風量指示ボタン５９、上下の風向変更を指示する上下風向指示ボタン６０、水平方向の風向変更を指示する左右風向指示ボタン６１、右側優先スイングモードの実行を指示する右側優先モード指示ボタン６２、および、左側優先スイングモードの実行を指示する左側優先モード指示ボタン６３を備えている。運転ボタン５７は、暖房運転の開始を指示する暖房運転ボタン５５と、冷房運転の開始を指示する冷房運転ボタン５６とで構成される。
【００４０】
図９は、本実施の形態における空気調和装置１の制御系の構成を示す図である。この図９には、空気調和装置本体３と、室内機たる空気調和機本体３に接続される室外機７０と、ユーザが操作するリモコン５０とを含む空気調和装置１の制御系を図示する。
【００４１】
図９に示すように、空気調和装置１は、空気調和装置１の各部を制御するマイコン１０１と、マイコン１０１により実行されるプログラムやマイコン１０１の処理を定めるパラメータ等を記憶したＲＯＭ１０２と、マイコン１０１が処理するプログラムやデータ等を一時的に記憶するメモリ１０３と、を備えている。マイコン１０１は、ＲＯＭ１０２に記憶されたプログラムを読み出して、メモリ１０３に形成されるワークエリアに展開して実行し、ＲＯＭ１０２に記憶された各種データ等を処理することで、空気調和装置１を制御する機能を実現する。
【００４２】
マイコン１０１には、空気調和装置１の冷媒回路（図示略）に配設された電磁弁（図示略）や電動膨張弁（図示略）の開閉および開度を制御する弁開閉制御部１０４、空気調和装置本体３が吸い込んだ吸込空気温度（被調和室空気の温度）を検出する吸込温度センサ１０５、空気調和装置１が備える熱交換器７の温度を検出する熱交換器温度センサ１０６、上記冷媒配管における圧力を検出する冷媒圧力センサ１０７、ＬＥＤの点灯により空気調和装置１の動作状態を表示する表示部１０８がそれぞれ接続されている。
【００４３】
マイコン１０１は、吸込温度センサ１０５および熱交換器温度センサ１０６により検出される温度や、冷媒圧力センサ１０７により検出される冷媒圧力等に基づいて、弁開閉制御部１０４を制御して電磁弁や電動膨張弁等を開閉させ、空気調和装置１を所望の運転状態で運転させる。
【００４４】
さらに、マイコン１０１には、モータ駆動回路１０９〜１１２が各々接続されている。モータ駆動回路１０９はファンモータ１１３を、モータ駆動回路１１０はフィルタ昇降モータ３９を、モータ駆動回路１１１ａ、１１１ｂは縦羽根駆動モータ２７ａ、２７ｂを、モータ駆動回路１１２はフラップ駆動モータ１１６への電力供給や制御パルスの出力を行い、夫々これらモータを駆動する。モータ駆動回路１０９は、送風機９に連結されたファンモータ１１３を駆動させ、送風機９による送風を行わせる。また、モータ駆動回路１１０は、フィルタ昇降装置３１を駆動するフィルタ昇降モータ３９を動作させ、モータ駆動回路１１１ａ、１１１ｂは、縦羽根２３に連結された縦羽根駆動モータ２７ａ、２７ｂを駆動して、縦羽根２３を揺動させる。モータ駆動回路１１２は、フラップ２５に連結されたフラップ駆動モータ１１６を駆動して、フラップ２５を回動させる。
【００４５】
また、マイコン１０１は、室外機７０が備えるモータ駆動回路７１に接続されている。モータ駆動回路７１は、圧縮機７２を駆動するモータ（図示略）を駆動する。
【００４６】
そして、マイコン１０１には、リモコン５０から送信される赤外線信号を受光する受光部１２０が接続されており、マイコン１０１は、受光部１２０により受光した赤外線信号に従って、空気調和装置１の各部を制御する。
【００４７】
ここで、リモコン５０は、リモコン５０の各部を制御するマイコン６５と、このマイコン６５に接続された発光部６６とを備えている。マイコン６５は、スイッチパネル５３が備える停止ボタン５４（図８）、運転ボタン５７（図８）、温度設定ボタン５８（図８）、風量指示ボタン５９（図８）、上下風向指示ボタン６０、左右風向指示ボタン６１、右側優先モード指示ボタン６２、左側優先モード指示ボタン６３等の各ボタンの操作を検出して、操作されたボタンに対応する操作信号を生成して、発光部６６に出力するとともに、操作内容に応じてＬＣＤパネル５２の表示状態を更新する。発光部６６は、赤外光を発するＬＥＤ等の光源を備え、マイコン６５から入力される操作信号に従って光源を発光させる。
【００４８】
そして、受光部１２０によって受光した赤外線信号が、運転ボタン５７の操作を示す操作信号であった場合、マイコン１０１は、この操作信号に従って、空気調和装置本体３を含む空気調和装置１の運転を開始させる。
【００４９】
すなわち、マイコン１０１は、モータ駆動回路７１により圧縮機７２を駆動させるとともに、弁開閉制御部１０４を制御して、空気調和装置１および室外機７０が備える各弁の開閉および開度の調整を行い、空気調和装置１に冷房運転または暖房運転を開始させる。冷房運転または暖房運転の開始後、マイコン１０１は、温度設定ボタン５８の操作により設定された目標設定温度と、吸込温度センサ１０５により検出された吸込空気の温度と被調和室内の気温とを比較し、冷房運転時に吸込空気の温度が目標設定温度を所定温度だけ下回った場合、および、暖房運転時に吸込空気の温度が目標設定温度を所定温度だけ上回った場合に、モータ駆動回路７１を制御して圧縮機７２を停止させて、サーモオフする。そして、冷房運転時に吸込空気の温度が目標設定温度より上昇し、或いは暖房運転時に吸込空気の温度が目標設定温度より低下した場合は、モータ駆動回路７１を制御して圧縮機７２を動作させ、サーモオンする。
【００５０】
また、マイコン１０１は、サーモオン時に、熱交換器温度センサ１０６により検出された熱交換器７の温度、或いは、冷媒圧力センサ１０７により検出された冷媒配管内の圧力が予め設定された範囲を超えた場合には、モータ駆動回路７１を制御して圧縮機７２を停止させるとともに、表示部１０８により異常発生を報知する。
【００５１】
また、マイコン１０１は、リモコン５０のスイッチパネル５３における操作により、モータ駆動回路１１０を制御して、フィルタ昇降モータ３９を駆動させる。これにより、フィルタ昇降装置３１が動作して、昇降枠３５〜３８を上昇または下降させる。
【００５２】
また、マイコン１０１は、サーモオンおよびサーモオフの動作に合わせて、モータ駆動回路１０９を制御して、ファンモータ１１３を適宜駆動させ、送風機９によって送風を行わせるとともに、風量指示ボタン５９の操作に応じて、風量を適宜変化させる。さらに、マイコン１０１は、運転ボタン５７または停止ボタン５４の操作に応じてモータ駆動回路１１２を制御し、フラップ駆動モータ１１６を駆動させ、フラップ２５を開閉させ、或いは、フラップ２５の角度を調整することによって上下における風向を調整する。
【００５３】
さらに、マイコン１０１は、左右風向指示ボタン６１、右側優先モード指示ボタン６２、および左側優先モード指示ボタン６３の操作に応じて、モータ駆動回路１１１ａ、１１ｂを制御し、夫々の縦羽根駆動モータ２７ａ、２７ｂを駆動させる。これにより、縦羽根２３の角度が調整され、吹出口１９から吹き出される空気の風向が左右に調整される。
【００５４】
図１０は、スイッチパネル５３の操作に応じた風向調整動作を示す図である。図１０（Ａ）は左右風向指示ボタン６１の操作と空気調和装置１の動作状態との対応を示し、図１０（Ｂ）は右側優先モード指示ボタン６２の操作と空気調和装置１の動作状態との対応を示し、図１０（Ｃ）は左側優先モード指示ボタン６３の操作と空気調和装置１状態との対応を示す。
【００５５】
本実施の形態では、空気調和装置１は、縦羽根駆動モータ２７ａ、２７ｂを同時に動作させることによって縦羽根２３を左右方向に振り向けることで、左右に５段階に設定された風向を切り換えることができる。この５段階の風向（１）〜（５）のうち、風向（１）は、空気調和装置１によって送風可能な左右方向の範囲のうち、空気調和装置１に向かって最も左側の向きである。風向（１）よりも右側の向きを、順次、風向（２）、（３）、（４）とし、送風可能な範囲のうち最も右側の向きを風向（５）とする。
【００５６】
図１０（Ａ）に示すように、マイコン１０１は、左右風向指示ボタン６１が操作される毎に、風向を（１）〜（５）の向きに順次切り換える。すなわち、風向（１）が設定されている状態で左右風向指示ボタン６１が操作されると、縦羽根駆動モータ２７ａ、２７ｂを同時に動作させることにより縦羽根２３を揺動させて風向を風向（２）に切り換え、さらに左右風向指示ボタン６１が操作されると縦羽根２３を揺動させて風向（３）に切り換える。
【００５７】
そして、風向（５）の状態で、左右風向指示ボタン６１が操作されると、マイコン１０１は、モータ駆動回路１１１ａ、１１１ｂを同時に制御して、スイングモードに移行する。
【００５８】
スイングモードでは、マイコン１０１は、縦羽根２３をスイングして風向を左右方向に略等しい時間間隔で往復変化させる動作を行う。すなわち、マイコン１０１は、モータ駆動回路１１１ａ、１１ｂを共に制御して縦羽根駆動モータ２７ａ、２７ｂを同時に駆動させ、縦羽根２３を左側の端位置（風向（１）の位置）に向けて揺動させ、この端位置に達したら、反対に、縦羽根２３を右側の端位置（風向（５）の位置）に向けて揺動させる。この左右方向の往復揺動はほぼ等しい時間間隔で実行され、例えば、縦羽根２３が左右の両端位置を往復するのに約３０秒を要する速度で行われる。
【００５９】
スイングモードでは、空気調和装置１が送風可能な範囲の全体において風向が左右に往復変化するので、吹出口１９からの吹出空気が被調和室内に満遍なく行き渡り、被調和室内における温度差は最小となって、ムラなく空気調和できる。
【００６０】
また、空気調和装置１は、スイングモードの実行中に右側優先モード指示ボタン６２が操作されると、図１０（Ｂ）に示すように、右側優先スイングモードの動作に移行する。なお、右側優先スイングモードの動作中に右側優先モード指示ボタン６２が再び操作されると、マイコン１０１はスイングモードに復帰する。
【００６１】
右側優先スイングモードは、図１１（Ａ）に示すように、スイングモードにおいて、図４に示される右側ブロック２６ｂを構成する縦羽根２３を吹出口１９の右側の方向位置に停止させると共に、他の左側ブロック２６ａを構成する縦羽根２３を往復遥動させる動作モードである。すなわち、右側優先スイングモードにおいて、マイコン１０１は、右側優先モード指示ボタン６２が操作されると、右側ブロック２６ｂを構成する縦羽根２３が吹出口１９の右側の方向位置に達した時点で、モータ駆動回路１１１ｂを停止させると共に、左側ブロック２６ａを構成する縦羽根２３のモータ駆動回路１１１ａを制御して、左側ブロック２６ａの縦羽根２３の往復遥動を、そのまま継続させる。
【００６２】
右側優先スイングモードでは、吹出口１９からの吹出空気が、空気調和装置１により送風可能な範囲の右端側に偏って吹き出される。すなわち、空気調和装置１により右端側に送風する風量が、他の領域に送風する風量よりも多くなり、風量が右側に偏る。しかしながら、右端側でない領域に対しても一定周期で風向が向けられるので、長時間にわたって送風されない場所はなく、送風可能な範囲の全体に送風できる。
【００６３】
従って、右側優先スイングモードは、送風可能な範囲の全体に送風することで被調和室内に極端な温度差を生じないようにしつつ、右側に対して特に多くの風を送ることができ、例えば、被調和室の右側に人が偏っている場合等に適している。
【００６４】
なお、この右側優先スイングモードでは、前記右側ブロック２６ｂの縦羽根２３は、必ずしも、右端でのみ停止させる必要はなく、吹出口１９の右側の方向位置であればよい。また、この右側の方向位置について、前記リモコン５０の操作により、任意の右側の方向位置を設定できるものであれば更によい。
【００６５】
また、右側優先モード指示ボタン６２が、再度操作されて、右側優先スイングモードからスイングモードへと復帰する場合、遥動している左側ブロック２６ａの縦羽根２３の方向位置が、停止している右側ブロック２６ｂの縦羽根２３の方向位置と一致した時点で、当該右側ブロック２６ｂの縦羽根２３が前記左側ブロック２６ａと同じ往復遥動を再開するものとしても良く、また、マイコン１０１から縦羽根駆動モータ２７ｂを制御して、当該右側ブロック２６ｂの縦羽根２３を前記左側ブロック２６ａの縦羽根２３と同じ方向位置とした後、往復遥動を再開するものとしても良い。
【００６６】
さらに、空気調和装置１は、スイングモードの実行中に左側優先モード指示ボタン６３が操作されると、図１０（Ｃ）に示すように、左側優先スイングモードの動作に移行する。なお、左側優先スイングモードの動作中に左側優先モード指示ボタン６３が再び操作されると、マイコン１０１はスイングモードに復帰する。
【００６７】
左側優先スイングモードでは、図１１（Ｂ）に示すように、スイングモードにおいて、図４に示される左側ブロック２６ａを構成する縦羽根２３を吹出口１９の左側の方向位置に停止させると共に、他の右側ブロック２６ｂを構成する縦羽根２３を往復遥動させる動作モードである。すなわち、左側優先スイングモードにおいて、マイコン１０１は、左側優先モード指示ボタン６３が操作されると、左側ブロック２６ａを構成する縦羽根２３が吹出口１９の左側の方向位置に達した時点で、モータ駆動回路１１１ａを停止させると共に、右側ブロック２６ｂを構成する縦羽根２３のモータ駆動回路１１１ｂを制御して、右側ブロック２６ｂの縦羽根２３の往復遥動を、そのまま継続させる。
【００６８】
左側優先スイングモードでは、吹出口１９からの吹出空気が、空気調和装置１により送風可能な範囲の左端側に偏って吹き出される。すなわち、空気調和装置１により左端側に送風する風量が、他の領域に送風する風量よりも多くなり、風量が左側に偏る。しかしながら、左端側でない領域に対しても一定周期で風向が向けられるので、長時間にわたって送風されない場所はなく、送風可能な範囲の全体に送風できる。
【００６９】
従って、左側優先スイングモードは、送風可能な範囲の全体に送風することで被調和室内に極端な温度差を生じないようにしつつ、左側に対して特に多くの風を送ることができ、例えば、被調和室の左側に人が偏っている場合等に適している。
【００７０】
なお、この左側優先スイングモードでは、前記左側ブロック２６ａの縦羽根２３は、必ずしも、左端でのみ停止させる必要はなく、吹出口１９の左側の方向位置であればよい。また、この左側の方向位置について、前記リモコン５０の操作により、任意の左側の方向位置を設定できるものであれば更によい。
【００７１】
また、左側優先モード指示ボタン６３が、再度操作されて、左側優先スイングモードからスイングモードへと復帰する場合、遥動している右側ブロック２６ｂの縦羽根２３の方向位置が、停止している左側ブロック２６ａの縦羽根２３の方向位置と一致した時点で、当該右側ブロック２６ｂの縦羽根２３が前記左側ブロック２６ａと同じ往復遥動を再開するものとしても良く、また、マイコン１０１から縦羽根駆動モータ２７ｂを制御して、当該右側ブロック２６ｂの縦羽根２３を前記左側ブロック２６ａの縦羽根２３と同じ方向位置とした後、往復遥動を再開するものとしても良い。
【００７２】
以上のように、本発明を適用した実施の形態に係る空気調和装置１によれば、空気調和機本体３に熱交換器７及び送風機９を備え、空気調和機本体３の吹出口１９に吹出空気の風向を左右に変更する複数のブロック２６ａ、２６ｂに分割された縦羽根２３を備え、リモコン５０の指示により縦羽根２３を揺動させて風向を左右方向に変更可能とした空気調和装置１は、複数のブロック２６ａ、２６ｂに分割された縦羽根２３をスイングし風向を左右方向に略等しい時間間隔で往復変化させるスイングモードと、複数のブロック２６ａ、２６ｂに分割された縦羽根２３のうち、少なくとも１つのブロックの縦羽根２３を右側の方向位置に停止させると共に、他のブロックの縦羽根２３をスイングさせる右側優先スイングモードと、複数のブロック２６ａ、２６ｂに分割された縦羽根２３のうち、少なくとも１つのブロックの縦羽根２３を左側の方向位置に停止させると共に、他のブロックの縦羽根２３をスイングさせる左側優先スイングモードと、を備えているので、被調和室内において極端な温度差を生じることのないように、かつ、特定方向に集中して空気調和でき、被調和室内の人の配置等に合わせて快適な環境を実現できる。
【００７３】
また、リモコン５０は、右側優先スイングモードに割り当てられた右側優先モード指示ボタン６２と、左側優先スイングモードに割り当てられた左側優先モード指示ボタン６３とを備えるので、これら右側優先モード指示ボタン６２および左側優先モード指示ボタン６３の操作により、右側優先スイングモードと左側優先スイングモードの実行を簡単かつ速やかに指示できる。
【００７４】
また、上記構成において、スイングモード、右側優先スイングモード、および左側優先スイングモードにおいては、被調和室における空気調和機本体の設置状態に応じて予め設定された送風範囲内で左右に風向を変更するので、空気調和機の設置状態に合わせた送風動作を行えるという利点がある。
【００７５】
また、上記実施の形態においては、１台の室外機７０に空気調和装置本体３を接続した空気調和装置１を例に挙げて説明したが、本発明はこれに限定されるものではなく、空気調和装置１は、複数の室内機を並列に接続した構成としてもよく、複数台の室外機を備えた構成としてもよい。また、本発明は、壁掛け型の空気調和装置としての空気調和装置１に限らず、天井埋込型空気調和装置や、天井吊下型空気調和装置にも適用可能である。
【図面の簡単な説明】
【００７６】
【図１】本発明の実施形態に係る壁掛け型の空気調和装置の斜視図である。
【図２】空気調和装置の断面図である。
【図３】前面パネルを取り外し、フィルタ昇降装置を下降動作し、フィルタを降下した状態を示す図である。
【図４】縦羽根の構成を示す図である。
【図５】フィルタ昇降装置の構成を示す図である。
【図６】フィルタ昇降装置の作動により昇降枠が降下し始めた段階を示す図である。
【図７】フィルタ昇降装置の作動により昇降枠が降下しきった段階を示す図である。
【図８】リモコンの概略構成を示す外観図である。
【図９】空気調和装置の制御系の構成を示す図である。
【図１０】スイッチパネルの操作に応じた風向調整動作を示す図である。
【図１１】右側優先スイングモードと左側優先スイングモードと縦羽根の動作を示す図である。
【符号の説明】
【００７７】
１  空気調和装置
３  空気調和機本体
５  前面パネル
７  熱交換器
９  送風機
１５、１７  吸込口
１９  吹出口
２１  スクロール部
２３  縦羽根
２４  リンク部材
２５  フラップ
２６ａ  左側ブロック
２６ｂ  右側ブロック
２７ａ  縦羽根駆動モータ（左）
２７ｂ  縦羽根駆動モータ（右）
３１  フィルタ昇降装置
３３  フィルタ
３５、３６、３７、３８  昇降枠
３９  フィルタ昇降モータ
４０  電気式除塵フィルタ
４１  ベルト
４３  天面パネル
４５  湾曲リブ
４６  リンク機構
５０  リモコン（リモートコントローラ）
５１  筐体
５２  ＬＣＤパネル
５３  スイッチパネル
５４  停止ボタン
５５  暖房運転ボタン
５６  冷房運転ボタン
５７  運転ボタン
５８  温度設定ボタン
５９  風量指示ボタン
６０  上下風向指示ボタン
６１  左右風向指示ボタン
６２  右側優先モード指示ボタン
６３  左側優先モード指示ボタン
６５  マイコン
６６  発光部
７０  室外機
１０１  マイコン
１０４  弁開閉制御部
１０５  吸込温度センサ
１０６  熱交換器温度センサ
１０７  冷媒圧力センサ
１０８  表示部
１０９、１１０、１１１ａ、１１１ｂ、１１２  モータ駆動回路
１１３  ファンモータ
１１５  縦羽根駆動モータ
１１６  フラップ駆動モータ
１２０  受光部
【図１】
2009222324.tif 000003
【図２】
2009222324.tif 000004
【図３】
2009222324.tif 000005
【図４】
2009222324.tif 000006
【図５】
2009222324.tif 000007
【図６】
2009222324.tif 000008
【図７】
2009222324.tif 000009
【図８】
2009222324.tif 000010
【図９】
2009222324.tif 000011
【図１０】
2009222324.tif 000012
【図１１】
2009222324.tif 000013